(57)【要約】【課題】上下のリボンファイバの光ファイバ素線部分が容易且つ確実にＶ溝に収まるように交互に配列でき、しかも光ファイバ素線部分に加わる局所的な曲がりを緩やかにできるようにする。【解決手段】複数本のリボンファイバ１２を上下に重ね、各リボンファイバのリボン部１２ｂ先端面から突出している多数の光ファイバ素線部分１２ａを上下で交互に配列し、その状態でアレイ基板に固定することにより光ファイバアレイを組み立てる際に用いる治具である。楔形ベース３０と、該楔形ベースの両テーパ面３０ａに対してそれぞれ接離自在のリボン押さえ片３２，３４とを具備し、テーパ面とリボン押さえ片とでリボン部を挾持することにより、突出している多数の光ファイバ素線部分が上下で交差する状態で整列保持可能とする。【選択図】図１
2007140207.tif 000002
【特許請求の範囲】
【請求項１】
複数本のリボンファイバを上下に重ね、各リボンファイバのリボン部先端面から突出している多数の光ファイバ素線部分を上下で交互に配列し、その状態でアレイ基板に固定することにより光ファイバアレイを組み立てる際に用いる治具であって、
楔形ベースと、該楔形ベースの両テーパ面に対してそれぞれ接離自在のリボン押さえ片とを具備し、前記テーパ面とリボン押さえ片とでリボン部を挾持することにより、突出している多数の光ファイバ素線部分が上下で交差する状態で整列保持可能としたことを特徴とする光ファイバアレイ組立治具。
【請求項２】
リボン押さえ片は磁性体からなり、楔形ベースに対してヒンジ構造により開閉自在あるいはピンと穴の嵌合構造により着脱自在であって、合成樹脂製の楔形ベースに永久磁石が埋設され、その磁力によりリボン押さえ片が楔形ベースに吸着保持されるようにした請求項１記載の光ファイバアレイ組立治具。
【請求項３】
楔形ベースの両テーパ面に、リボンファイバを収容する位置決め用の凹溝が形成され、該凹溝に対向するリボン押さえ片の内側面にクッションシートが貼設されている請求項１又は２記載の光ファイバアレイ組立治具。
【請求項４】
楔形ベースの両テーパ面にリボンファイバを複数本ずつ並設可能とした請求項１乃至３のいずれかに記載の光ファイバアレイ組立治具。
【請求項５】
楔形ベースの両テーパ面がなす角度が３〜８度である請求項１乃至４のいずれかに記載の光ファイバアレイ組立治具。
【発明の詳細な説明】
【技術分野】
【０００１】
本発明は、複数本のリボンファイバを用いて光ファイバアレイを組み立てる際に用いる治具に関し、更に詳しく述べると、楔形ベースの両テーパ面にリボンファイバを配置し、多数の光ファイバ素線部分が上下で交差する状態で整列保持可能とした光ファイバアレイ組立治具に関するものである。
【背景技術】
【０００２】
近年、光通信技術の進歩に伴い、導波路素子の多芯化、高密度化が進められており、それに対応して光ファイバアレイにおける光ファイバ間ピッチの狭小化が要求されている。光ファイバアレイの製作ではリボンファイバが多用されているが、標準的な光ファイバ間ピッチを短縮するため、２本のリボンファイバを重ね合わせ、上下の光ファイバを交互に配列することでハーフピッチ光ファイバアレイを組み立てることが行われている（例えば特許文献１参照）。
【０００３】
即ち、図２のＡに示すように、アレイ基板１０の上面にリボンファイバ１２の光ファイバ間ピッチの半分の間隔でＶ溝１４を形成しておき、２本のリボンファイバ１２を上下に重ね合わせて、上下の光ファイバ素線部分１２ａが交互に前記Ｖ溝１４に収容されるように配列し、接着剤１６を介してカバーガラス１８を被せ接着固定する構造である。なお、リボンファイバ１２のリボン部１２ｂの先端には接着剤２０を塗布してアレイ基板１０に固定する。光ファイバ素線部分１２ａにも樹脂２２を被せて保護する。このようにして、ハーフピッチ光ファイバアレイが得られる。
【０００４】
ところが、２本のリボンファイバ１２を単に重ねると、光ファイバ素線部分１２ａは、上下で平行な段違いとなってリボン部１２ｂ先端から突出した状態となるため、アレイ基板１０のＶ溝形成部分に導いても、配列が乱れたり、一部がＶ溝１４から浮き上がり気味となったりして、組立作業性が悪い。例えば、８芯のリボンファイバを用いて３２芯の光ファイバアレイを実現するには、４本のリボンファイバを上下左右に配置して組み立てることになるが、このような多芯の光ファイバアレイの組み立てでは、作業性は一層悪化することになる。
【０００５】
更に、２本のリボンファイバを重ねると、図２のＡに示すように、光ファイバ素線部分１２ａが局所的に曲げられ、それによって光伝送特性が低下したり、甚だしい場合には、応力により光ファイバが破損する問題が生じる。
【特許文献１】特開平９−１９７１９３号公報
【発明の開示】
【発明が解決しようとする課題】
【０００６】
本発明が解決しようとする課題は、上下のリボンファイバの光ファイバ素線部分が容易且つ確実にＶ溝に収まるように交互に配列でき、しかも光ファイバ素線部分に加わる局所的な曲がりを従来品よりも緩やかにできるようにすることである。
【課題を解決するための手段】
【０００７】
本発明は、複数本のリボンファイバを上下に重ね、各リボンファイバのリボン部先端面から突出している多数の光ファイバ素線部分を上下で交互に配列し、その状態でアレイ基板に固定することにより光ファイバアレイを組み立てる際に用いる治具であって、楔形ベースと、該楔形ベースの両テーパ面に対してそれぞれ接離自在のリボン押さえ片とを具備し、前記テーパ面とリボン押さえ片とでリボン部を挾持することにより、突出している多数の光ファイバ素線部分が上下で交差する状態で整列保持可能としたことを特徴とする光ファイバアレイ組立治具である。
【０００８】
ここで、リボン押さえ片は磁性体からなり、楔形ベースに対してヒンジ構造により開閉自在あるいはピンと穴の嵌合構造により着脱自在であって、合成樹脂製の楔形ベースに永久磁石が埋設され、その磁力によりリボン押さえ片が楔形ベースに吸着保持されるような構造が好ましい。そのような構造にすると、リボンファイバの装着が容易となる。また、楔形ベースの両テーパ面に、リボンファイバを収容する位置決め用の凹溝を形成し、該凹溝に対向するリボン押さえ片の内側面にクッションシートを貼設した構造にすると、凹溝でリボンファイバの幅方向の移動が規制され、容易に正確な位置決めができるし、クッションシートによってリボンファイバの保護及びずれ防止を図ることができる。
【０００９】
また、より多芯の光ファイバアレイを製作する場合には、楔形ベースの両テーパ面の凹溝内にリボンファイバを複数本ずつ並設可能とする。なお、楔形ベースの両テーパ面がなす角度は、３〜８度程度、より好ましくは４〜６度とするのがよい。
【発明の効果】
【００１０】
本発明の光ファイバアレイ組立治具は、楔形ベースの両テーパ面でリボンファイバを保持するように構成されているので、重なり合う上下のリボンファイバから突出している光ファイバ素線部分は交差し、交互の配列が崩れるのを防止できる。また、全ての光ファイバ素線部分がＶ溝内に収まり、容易に且つ正確に多芯光ファイバアレイを組み立てることができる。更に、組み立ての際に光ファイバが局所的に曲げられるが、従来品と比較して楔形ベースのテーパによって曲がりが緩やかになり、光ファイバの曲げ半径が大きくなることによって、光伝送特性の劣化並びに応力による光ファイバの損傷を防止できる。
【発明を実施するための最良の形態】
【００１１】
図１は、本発明に係る光ファイバアレイ組立治具の模式図である。この光ファイバアレイ組立治具は、楔形ベース３０と、該楔形ベース３０の両テーパ面３０ａに対してそれぞれ接離自在の２個のリボン押さえ片３２，３４とを具備し、前記楔形ベース３０のテーパ面３０ａとリボン押さえ片３２，３４とでリボン部１２ｂを挾持することにより、突出している多数の光ファイバ素線部分１２ａが上下で交互に交差する状態で整列し保持可能とした構造である。各リボンファイバ１２のリボン部１２ｂ先端面から突出している多数の光ファイバ素線部分１２ａを上下で交互に配列した状態でアレイ基板のＶ溝部分に載せ固定することにより光ファイバアレイを組み立てる。
【００１２】
より多芯の光ファイバアレイを製作する場合には、楔形ベースの両テーパ面にリボンファイバを複数本ずつ並設可能とする。例えば８芯のリボンファイバを用いて３２芯の光ファイバアレイを製作する場合には、上下左右に合計４本のリボンファイバを配置する。４８芯の光ファイバアレイを製作する場合には、各テーパ面にリボンファイバを３本ずつ並置すればよい。なお、楔形ベースの両テーパ面がなす角度は５度程度とするのがよい。
【００１３】
組み立てた光ファイバアレイを図２のＢに示す。アレイ基板１０の上面にリボンファイバ１２の光ファイバ間ピッチの半分の間隔でＶ溝１４を形成しておく。図１に示されているように、楔形ベース３０の両テーパ面３０ａにそれぞれリボンファイバ１２を載せ、リボン押さえ片３２，３４で固定することにより、リボンファイバ１２を上下に重ね合わせて、各リボンファイバ１２のリボン部１２ｂ先端面から突出している多数の光ファイバ素線部分１２ａを上下で交互に配列した状態で保持する。そして、上下の光ファイバ素線部分１２ａを交互に前記Ｖ溝１４に収容し、ＵＶ接着剤１６を介してカバーガラス１８を被せ、紫外線照射により硬化させ接着固定する。なお、リボンファイバ１２のリボン部１２ｂ先端には接着剤２０を塗布してアレイ基板１０に固定する。光ファイバ素線部分１２ａにも樹脂２２を被せて保護する。このようにして、ハーフピッチ光ファイバアレイが得られる。このような組立治具を用いて光ファイバアレイを製作すると、光ファイバ素線部分１２ａは、図２のＢに示すように、楔形ベースのテーパに応じた緩やかな角度で引き出され、その状態で固定されることになる。
【実施例】
【００１４】
本発明に係る光ファイバアレイ組立治具の一実施例を図３に示す。Ａは斜視図であり、Ｂは上面、Ｃは側面、Ｄは底面を、それぞれ表している。ここでは、８芯リボンファイバ４０を４本組み合わせて３２芯光ファイバアレイを製作する治具を示している。
【００１５】
この光ファイバアレイ組立治具は、楔形ベース４２と、該楔形ベース４２の両テーパ面４２ａに対してそれぞれ接離自在の２個のリボン押さえ片４４，４６とを具備している。基本的には、前記テーパ面４２ａとリボン押さえ片４４，４６とでリボン部４０ｂを挾持することにより、突出している多数の光ファイバ素線部分４０ａが上下で交互に交差する状態で整列保持可能とした構造である。各リボンファイバ４０のリボン部４０ｂ先端面から突出している多数の光ファイバ素線部分４０ａを上下で交互に配列した状態でアレイ基板のＶ溝部分に載せ固定することにより光ファイバアレイを組み立てる。
【００１６】
楔形ベース４２は、例えばポリアセタール樹脂などの硬質合成樹脂（非磁性体）からなり、両テーパ面４２ａに、リボンファイバ４０を収容する位置決め用の凹溝４８が形成されている。両テーパ面４２ａのなす角度は５度に設定した。凹溝４８の深さは、リボンファイバ４０の厚み以下とする。ここでは、８芯リボンファイバ４０を４本組み合わせて３２芯光ファイバアレイを製作する治具であるので、丁度２本のリボンファイバ４０を並置収容できる幅に設定されている。また、上テーパ面と下テーパ面の凹溝は、光ファイバの配列ピッチの半分だけ溝幅方向にずれるように形成されている。
【００１７】
リボン押さえ片４４，４６は鋼製（磁性体）である。上方のリボン押さえ片４４は、片側に２個の貫通穴５０が形成されており、楔形ベース４２に植設した２本のピン５２との嵌合構造によって着脱自在となっている。下方のリボン押さえ片４６は、片側に設けたヒンジ構造５４により楔形ベース４２に対して開閉自在となっている。硬質合成樹脂製の楔形ベース４２には２個の永久磁石５６が、前記ピン５２あるいはヒンジ構造５４に対して反対側に埋設されており、その磁力により両リボン押さえ片４４，４６が楔形ベース４２に吸着し、挾んだリボンファイバ４０を保持するように構成されている。
【００１８】
更に、楔形ベース４２の両テーパ面に形成されている凹溝４８に対向する両リボン押さえ片４４，４６の内側面に、ウレタン樹脂などからなる薄いクッションシート６０，６２が貼設されている。クッションシート６０，６２は、押さえ付けるリボンファイバ４０が傷つかないように保護すると共に、組立作業時におけるリボンファイバ４０の位置ずれを防止する機能を果たす。なお、図３のＤ（底面を表す図）に示されている３箇所の円形の部分は、本治具を組立装置に装着する際の位置決め用の凹部である。
【００１９】
楔形ベース４２のテーパ面の凹溝４８にリボンファイバ４０を収容し、リボン押さえ片４４，４６を被せると、永久磁石５６による磁力によってリボン押さえ片４４，４６が楔形ベース４２に吸着され、リボンファイバ４０が所定の位置で挾持される。これによってリボンファイバ４０を上下に重ね、各リボンファイバ４０のリボン部４０ｂ先端面から突出している多数の光ファイバ素線部分４０ａが上下で交差する状態で保持される。その状態でアレイ基板のＶ溝部分に載せると、各光ファイバ素線部分がＶ溝に綺麗に収容され、従ってその状態で固定することにより、容易にハーフピッチ光ファイバアレイを組み立てることができる。
【図面の簡単な説明】
【００２０】
【図１】本発明に係る光ファイバアレイ組立治具の模式図。
【図２】従来技術と本発明により作製した光ファイバアレイの比較説明図。
【図３】本発明に係る光ファイバアレイ組立治具の一実施例を示す説明図図。
【符号の説明】
【００２１】
１２  リボンファイバ
１２ａ  光ファイバ素線部分
１２ｂ  リボン部
３０  楔形ベース
３０ａ  テーパ面
３２，３４  リボン押さえ片
【図１】
2007140207.tif 000003
【図２】
2007140207.tif 000004
【図３】
2007140207.tif 000005